(57)【要約】      （修正有）【課題】脱着可能なベビー用シート又はベッドの固定手段の安全性を高める。【解決手段】連結ハンドルと共に、手押し車にシートおよびベッドを着脱可能に取り付けるための装置は、手押し車に備えられた取付部に取り付けられている。またこの装置は、ハンドルの下端に備えられ、その一端に向かって先細るように設計され、固定手段７上において動作するように取り付けられた可動素子６を収容する空洞部５を備えた第１の部分１と、ロープによって動かされる固定手段７を備え、前記シートまたはベッド４に固定される第２の部分２とを包含する２つの部分を備えている。アーチ形状の可動素子６の一端６’は、空洞部５の先細った端部５’において旋回するように構成されている。そして、アーチ形状の他端６’’は、牽引ロープ８に連結されている。また可動素子６は、固定手段７に付属するロッド１０の屈曲した上端部９において動作するように取り付けられている。【選択図】図１
2007284051.tif 000002
【特許請求の範囲】
【請求項１】
連結ハンドルと共に提供され、手押し車にシートおよびベッドを着脱可能に取り付けるための装置であって、
手押し車に備えられた取付部にそれぞれ取り付けられる２つの部分を備えており、
該２つの部分は、
一端に向かって先細るように設計され、固定手段上において動作するように取り付けられた可動素子を収容する空洞部を備え、前記ハンドルの下端に設けられた第１の部分と、
ロープによって動かされる前記固定手段を備え、前記シートまたはベッドに固定される第２の部分とを包含していることを特徴とする装置。
【請求項２】
前記可動素子は、アーチ形状に形成されており、該アーチ形状の一端は、前記空洞部の先細った端部において旋回するように構成されており、該アーチ形状の他端は、牽引ロープに連結されていることを特徴とする、請求項１に記載のシートおよびベッドを手押し車に着脱可能に取り付けるための装置。
【請求項３】
前記可動素子は、前記固定手段に付属する棒状部の屈曲した上端部において動作するように取り付けられていることを特徴とする、請求項１に記載のシートおよびベッドを手押し車に着脱可能に取り付けるための装置。
【請求項４】
前記空洞部は、前記ロープによって引っ張られる前記可動素子の端部において動作するバネ部を備えており、これにより該バネ部は、前記可動素子を受動位置に向けて傾けることを特徴とする、請求項２に記載のシートおよびベッドを手押し車に着脱可能に取り付けるための装置。
【発明の詳細な説明】
【発明の詳細な説明】
【０００１】
〔技術分野〕
本発明の目的は、手押し車のシートまたはベッドを着脱可能に取り付けるための、連結ハンドルを備えた装置を提供することにある。
【０００２】
〔背景技術〕
ベビー用のシートまたはベッドを連結するように構成された逆Ｕ字形状の固定式ハンドルを組み込むことによって、幼児のための手押し車にベビー用のシートまたはベッドを着脱可能に取り付けることがすでに知られている。生後数ヶ月になるまで、上記ベビー用シートまたはベッドに乗せられている幼児は、手押し車に取り付けられた従来のシートにすでに順応し得る。連結構造によってシートまたはベッドを着脱可能に固定するために取り付けられた、手押し車の両端のホルダーを含む装置を用いて、上記の組み込みは行われる。
【０００３】
このような装置は一般的に、２つの連結構造部を同時に解除するように取り付ける制御部を備えている。スペイン実用新案ＥＳ−１０６２６２９（２００３０００２８）に開示されているように、この制御部は実際のハンドル上に位置している。
【０００４】
〔発明の開示〕
本発明の目的は、固定手段の中間位置に配置された可動素子であって、ハンドルが正しい垂直位置にあるときのみベッドおよびシートを開放し、これにより幼児の危険性の問題の原因となる不適当な開放を回避し得ることを保証する可動素子を備えていることを特徴とする、前述した型の装置を提供することにある。
【０００５】
このような目的のための特徴的な２つの機能は、第一に、可動素子を偏向可能なように収容する空洞を形成する部分が存在することであり、第二に固定手段が提供されていることにある。
【０００６】
この可動素子はアーチ形状であり、このアーチ形状の一端は、前述した空洞の先細った端部において旋回するように構成されている。そして、このアーチ形状部の他の端部は、牽引用ロープに連結されている。また可動素子は、固定手段に付属する棒状部の屈曲した上端部において動作するように取り付けられている。
【０００７】
可動素子は、前述した空洞に設けられたバネの作用によってその受動的な位置に保持されており、このバネは、上記ロープによって引っ張られている素子の端部において作用する。
【０００８】
これらのおよび他の特徴的な機能は、以下に示す詳細な説明にしたがって製造される装置に最適に用いられ得る。以下の詳細な説明は、実用的な実施形態を示す図面を伴っていることによって、容易に理解され得る。この実施形態は、例示形態としてのみ引用されるものであり、本発明の範囲を制限するものではない。
【発明を実施するための最良の形態】
【０００９】
２つの部分（１・２）からなる手押し車のためのシートおよびベッドを着脱可能に取り付けるための装置を図示した図面によると、この第１の部分は、ハンドル（３）の下端に固定されている。一方、第２の部分は、シート（４）または同種のものに固定されている。
【００１０】
第１の部分（１）は、装置の第２の部分（２）において統合される固定手段（７）上部において、可動素子（６）を収容する空洞部（５）を有している。空洞部（５）は、その一端に向かって先細るように設計されている。
【００１１】
可動素子（６）は、アーチ形状に形成されており、その一端（６’）は、空洞部（５）の先細った端部（５’）において旋回するように設計されている。このアーチ形状の他の端部（６’’）は、牽引用ロープ（８）に連結されている。
【００１２】
上記可動素子（６）は、固定手段（７）に付属するロッド（１０）の屈曲した上端部（９）において作用するように取り付けられている。
【００１３】
空洞部（５）内には、可動素子（６）の端部（６’’）において作用するバネ（１１）が備えられている。これにより、可動素子（６）は、受動位置に対して傾斜している（図１）。
【００１４】
この装置の２つの部分（１・２）が共に取り付けられたとき、ロッド（１０）の屈曲した端部（９）は、可動素子（６）上において空洞部（５）の内部にある。
【００１５】
垂直位置にハンドル（３）があるとき（図２）、手押し車からシート（４）を開放し得る。これは、ロープ（８）が上向き（矢印Ｆ方向）に引っ張られることによって達成される。ロープが上向きに引っ張られることによって、可動素子（６）が空洞部（５）の端部（５’）を中心として角度をつけるように移動し、バネ（１１）が圧縮される。そして、屈曲した端部（９）においてロッド（１０）が持ち上げられ、固定手段（７）が解除される。
【００１６】
傾斜位置にハンドル（３）があるとき（図３）、屈曲した端部（９）が空洞部（５）の先細った領域（５’）にあるので、手押し車からシート（４）が開放され得ない。この領域において可動素子（６）は短く移動し、この短い移動では、屈曲した端部（９）を持ち上げるのに十分ではない。
【００１７】
ロープ（８）の動きを止めたとき、バネ（１１）は、可動素子（６）をその受動位置に再び戻させる（図１）。
【００１８】
この装置は、異なる位置においてハンドル（３）を連結および固定するために、取り付け手段として２つの部分（１・２）を備えている。このような目的で、部分（２）は、歯領域（１２）を有している。歯領域（１２）は、固定素子（図示せず）によって動作される。固定素子は、第１の部分（１）に備えられた空洞（１３）において傾斜するように取り付けられている。
【図面の簡単な説明】
【００１９】
【図１】図１は、本発明に係る装置を示す図であり、可動素子を備えた第１の部分および固定手段を備えた第２の部分を別々に示した図である。
【図２】図２は、装置を正しい位置に動かした場合を図解的に示した図である。
【図３】図３は、装置を正しくない位置に動かした場合を図解的に示した図である。
【図１】
2007284051.tif 000003
【図２】
2007284051.tif 000004
【図３】
2007284051.tif 000005